(57)【要約】【課題】  原子力発電施設や研究施設あるいは製造施設などの人体に悪影響を及ぼしかねない有害物質を含んだ汚染ガスが発生する現場では、その汚染ガスを外部へ漏らすことなく清浄化して排気する完全気密構造の空気清浄化装置が使用されている。しかし、完全気密構造であるため、フィルタ交換時のフィルタの取り付け、取り外し作業が煩雑で手間がかかる上、フィルタの取り付け時のシールの気密性を良くするため機構上複雑となった。このため、好ましいフィルタ装着機構が望まれていた。【解決手段】  装置本体に汚染ガス導入口、処理済ガス排出口と、フィルタ交換口４を形成し、装置本体内部にはフィルタ受け面と仕切板とを設けた空気清浄化装置において、フィルタを塔載するフィルタ受け台と仕切板との間にフィルタ受け台を上下動させるＸ形状の１対の支持脚を設け、この支持脚をスライドさせる偏心カム板を備えたレバーとから構成したことを特徴とする空気清浄化装置のフィルタ装着機構。【選択図】図１
2014018790.tif 000002
【特許請求の範囲】
【請求項１】
装置本体に汚染ガス導入口と処理済ガス排出口とフィルタ交換口を形成し、装置本体内部にはフィルタ受け面と仕切板とを設けた完全気密構造で、フィルタ受け面と仕切板との間にフィルタを塔載したフィルタ受け台を上下動させフィルタをフィルタ受け面に押し付けたり、押し下げたりするようにした空気清浄化装置において、フィルタ受け台と仕切板とに切欠溝を形成したガイド板をそれぞれ取り付け、ガイド板の上下間にＸ形状に交差した支持脚を設けると共に、支持脚の一方に取り付けた車輪をガイド板の切欠溝にスライド可能に且つ支持脚の他方をガイド板に固定し、さらに切欠溝を形成した保持板を取り付け、この切欠溝に前記車輪を連結した車軸をスライド可能に設けると共にこの切欠溝に回動可能に軸着したレバーを設け、このレバーの先端に偏心カム板を一体に形成し、偏心カム板のカム面に前記車軸が常時接触した状態で配置されたことを特徴とする空気清浄化装置のフィルタ装着機構。
【請求項２】
レバーを押し上げたり、押し下げることにより、前記軸着部を中心に偏心カム板が回転しカム面の形状に沿って車軸がスライド可能に配置されたことを特徴とする請求項１の空気清浄化装置のフィルタ装着機構。
【請求項３】
前記車軸のスライド移動により車輪も同時にスライドして支持脚自身を上下動し、この上下動によりフィルタをフィルタ受面に完全に密着した状態で押し付けたり、緩めたりできるようにしたことを特徴とする請求項１の空気清浄化装置のフィルタ装着機構。
【請求項４】
偏心カム板のカム面には支持脚の車軸を係止する切欠部を形成したことを特徴とする請求項１のフィルタ装着機構。
【発明の詳細な説明】
【技術分野】
【０００１】  本発明は人体に悪影響を及ぼしかねない有害物質を含んだ汚染ガスを清浄化する空気清浄化装置のフィルタ装着機構に関するものである。
【背景技術】
【０００２】従来、原子力発電施設や研究施設あるいは製造施設などの人体に悪影響を及ぼしかねない有害物質を含んだ汚染ガスを発生する現場には、その汚染ガスを清浄化して排気する空気清浄化装置が設置されている。特に、これらの汚染ガスを清浄化する空気清浄化装置は完全気密構造で、装置本体内には導入した汚染ガスが確実に捕集除去されるようにフィルタが気密に取り付けられている。【０００３】  このため、フィルタの取り換えは、導入したダストガスを外部に漏らすことなく、装置本体に形成したフィルタ交換口にグローブ付き特殊バグが取り付けられ、グローブ付き特殊バグを用いることで完全にシールした状態で行うことができる構造となっている。【０００４】  すなわち、装置本体外面を貫通して取り付けた左右の操作用ハンドルを回動することにより、操作用ハンドルと一体に連結した回動軸の偏心カムが回転し、フィルタを緩めたり締め付けたりする機構となっている。【０００５】  そのため、左右の操作用ハンドルのバランスが崩れる懸念があることから、フィルタの取り付けの気密性に心配があった。【０００６】  さらに、フィルタを緩めたり締め付けたりする機構は左右の操作用ハンドルを回動して、フィルタを上下させるため作業に手間がかかる上、作業が大変であった。【０００７】  また、操作用ハンドルが装置本体を貫通して、装置本体外面から回動できるようにしているので、使用頻度を重ねることにより、貫通孔に微妙な隙間が生じるケースが考えられ、ガスの気圧の影響もあってガス漏れの懸念が心配されていた。
【発明の概要】
【発明が解決しようとする課題】
【０００８】  そこで本発明は従来の問題点を解決しょうとしたもので、本発明の第１の目的は、完全気密の状態で有害物質を含んだ汚染ガスを清浄化可能としたものである。【０００９】  本発明の第２の目的は、フィルタの取り換えの際にフィルタを緩めたり締め付けたりする機構を空気清浄化装置本体内で操作できるようにしたものである。【００１０】  本発明の第３の目的は、空気清浄化装置本体内でのフィルタの取り付けの気密性を確実にしたものである。【００１１】  本発明の第４の目的は、空気清浄化装置本体内でフィルタを緩めたり締め付けたりする操作を簡単にしたものである。
【課題を解決するための手段】
【００１２】  本発明の第１の解決手段は、装置本体に汚染ガス導入口と処理済ガス排出口とフィルタ交換口を形成し、装置本体内部にはフィルタ受け面と仕切板とを設けた完全気密構造で、フィルタ受け面と仕切板との間にフィルタを塔載したフィルタ受け台を上下動させフィルタをフィルタ受け面に押し付けたり、押し下げたりするようにした空気清浄化装置からなるものである。【００１３】  本発明の第２の解決手段は、フィルタ受け台と仕切板とに切欠溝を形成したガイド板をそれぞれ取り付けたものである。【００１４】  本発明の第３の解決手段は、ガイド板の上下間にＸ形状に交差した支持脚を設け、支持脚の一方に車輪を取り付けて、この車輪をガイド板の切欠溝にスライド可能に設け、支持脚の他方をガイド板に固定して取り付けたことである。【００１５】  本発明の第４の解決手段は、仕切板に切欠溝を形成した保持板を取り付け、この切欠溝に前記車輪を連結した車軸をスライド可能に設けると共に、この切欠溝に回転可能に軸着したレバーを設けたことである。【００１６】  本発明の第５の解決手段は、レバーの先端に偏心カム板を一体に形成し、偏心カム板のカム面に前記車軸が常時接触した状態で配置されていることである。【００１７】  本発明の第６の解決手段は、レバーを押し上げたり、押し下げることにより、前記軸着部を中心に偏心カム板が回転しカム面の形状に沿って車軸がスライド可能にされていることである。【００１８】  本発明の第７の解決手段は、前記車軸のスライド移動により車輪も同時にスライドして支持脚自身を上下動し、この上下動によりフィルタをフィルタ受面に完全に密着した状態で押し付けたり、緩めたりできるようにしたことである。【００１９】  ここで、フィルタはプレフィルタ群または中高性能フィルタ群または準ＨＥＰＡフィルタ群またはＨＥＰＡフィルタ群またはＵＬＰＡフィルタ群から適宜選択される。【００２０】  そして、プレフィルタ群はＪＩＳ  Ｂ９９０８型式３（質量法）で平均捕集率が５０〜９０％であり、中高性能フィルタ群はＪＩＳ  Ｂ９９０８型式２（比色法）で平均捕集率が６５％以上であり、準ＨＥＰＡフィルタ群はＪＩＳ  Ｂ９９０８型式１（計数法）で０．３μｍ粒子に対し９５％以上の捕集率を有するものであり、ＨＥＰＡフィルタ群はＪＩＳ  Ｂ９９０８型式１（計数法）で０．３μｍ粒子に対し９９．９７％以上の捕集率を有するものであり、ＵＬＰＡフィルタ群はＪＩＳ  Ｂ９９２７（ＪＩＳ  Ｂ９９０８型式１準拠）で０．１５μｍ粒子に対し９９．９９９５％以上の捕集率を有するものである。【００２１】  次に、各種フィルタ群はろ材を外枠の中に折込み、アルミニウム、クラフト紙、プラスチックなどで作られた波形のセパレータをろ材の間に入れて、ろ材同志が密着しないようにしたセパレータ型のものと、ろ材間にセパレータを挿入せずに糸状または紐状の樹脂をろ材間に挟んだり、接着剤樹脂によって折込んだろ材の山の間隙を固定したり数ｍｍの幅に切ったろ材のリボンをろ材間に挟むことによってセパレータの代わりをさせたミニプリーツ型のものがある。外枠には金属板や合板が使用され、フランジ型あるいはボックス型となっている。外形寸法は縦横が３００〜１３００×３００〜１３００��ｍ程度、奥行きは６５〜３００ｍｍ程度である。
【発明の効果】
【００２２】（１）本発明は、装置本体内でフィルタを緩めたり締め付けたりする機構としたので、完全気密の状態で装置本体内に導入した有害物質を含んだ汚染ガスを確実に捕集除去できる。
（２）本発明は、一つのレバーで締め付ける機構としたので、フィルタが均一に締め付けられフィルタの取り付けの気密性が確実に確保できる。
（３）本発明は、レバーのアーム先端に設けた偏心カム板を設け、偏心カム板のカム面に支持脚の車輪を係止する溝を形成したので、Ｘ形状の支持脚を上げた状態で別途ロックを掛けないと自重で下がってしまうということがない。したがって、別途ロック部品がなくてもロックが可能となる。
（４）従来は操作用ハンドルを回して上下させる必要があり、作業が大変であったところを、一つのレバーの上げ下げだけで可能としたので、フィルタの取り付け締め付け作業が簡略化、省力化となった。
（５）従来の機構は鉄製の部品がほとんどで腐食環境には適応できなかったが、本発明の機構はレバー型で材質がＳＵＳでも可能となり腐食環境でも使用できる。
【図面の簡単な説明】
【００２３】
【図１】一部切り欠いた空気清浄化装置の全体を示す概略図
【図２】本発明のフィルタ装着機構を示す概略図
【図３】第２図の一部拡大図
【図４】レバーを押し上げフィルタをフィルタ受け面に密着した状態を示し且つ、保持板を取り外した時の図
【図５】レバーを押し下げフィルタをフィルタ受け面から開放した状態を示し且つ、保持板を取り外した時の図
【図６】フィルタ交換時の作業工程概略図
【発明を実施するための形態】
【００２４】  以下、本発明の実施形態に係る空気清浄化装置を添付図１〜６に基づいて説明する。
【実施例】
【００２５】  １は装置本体で、装置本体１には上端に汚染ガス導入口２、下端に処理済ガス排出口３、汚染ガス導入口２と処理済ガス排出口３の間にはフィルタ交換口４が形成されている。そして、装置本体１内にはフィルタ受け面と仕切板６とが形成されている。そして、仕切板６には切欠溝７を形成したガイド板８が取り付けられている。このガイド板８の切欠溝７にはＸ形状に交差した１対の支持脚９の下端一方に取り付けた車輪１０がスライド自在に嵌合されている。また、支持脚９の下端他方はガイド板８に固定されている。さらに、支持脚９の上端一方に取り付けられた車輪１１はフィルタ１２を塔載するフィルタ受け台１３に取り付けられたガイド板１４の切欠溝１５にスライド自在に嵌合されている。また、支持脚９の上端他方はガイド板１４に固定されている。【００２６】  さらに、仕切板６には切欠溝１６を形成した保持板１７が取り付けられ、この切欠溝１６のフィルタ交換口４側にはレバー１８のアーム１９下端と一体に取り付けられた偏心カム板２０が回動自在に軸着されている。さらに、保持板１７の切欠溝１６には一対の車輪１０を連結した車軸２１が嵌装し、偏心カム板２０のカム面２２と車輪１０の車軸２１が常に接触した状態に配置されている。そして、レバー１８を押し下げたり、持ち上げたりすることによってカム面２２の形状に沿って車軸２１がスライド可能にされている。【００２７】  結果、車軸２１のスライド移動により車輪１０、１１も同時にスライドするため支持脚９自身も上下動し、この上下動により支持脚９がフィルタ受け台１３を持ち上げたり、押し下げたりするようになるため、フィルタをフィルタ受面５に完全に密着した状態で押し付けたり、緩めたりできるようになっている。【００２８】  偏心カム板２０のカム面２２には切欠部２３が形成され、フィルタをフィルタ受面５に完全に密着した状態で支持脚９の車軸２１がカム面２２を滑ってスライドしないようになっている。【００２９】  フィルタ装着機構は以上のような構成であることから、図６に示すようにフィルタ交換口４の蓋２４にグローブ付きバッグ２５を取り付けてフィルタ交換を行う実施例を参考にして説明する。まず、フィルタ交換時にはフィルタ交換口４の蓋２４を開いてフィルタ交換口４に取り付けているグローブ付きバッグ２５を拡げ、そのグローブに作業員が手を差し入れて、レバー１８を下方に押し下げる。これにより、アーム１９下端と一体に取り付けられた偏心カム板２０が回動し支持脚９の車軸２１が、カム面２２の切欠部２３より外れ、車軸２１が切欠溝１６の後方へ移動する。同時に、車輪１０、１１もスライドするため、支持脚９自身も下降する。この下降により支持脚９がフィルタ受け台１３を押し下げフィルタをフィルタ受面５から開放してフィルタ１２の締め付けを解除する。【００３０】  次に、締め付けが解除された使用済みフィルタを装置本体１内からフィルタ交換口４を介してバッグ２５の内方に引き出し、その状態でバッグ２５の途中を適当手段により溶着してシール２６し、そのシール部中央を切断する。
これにて、使用済みフィルタをバッグ２５内に密封した状態で取り去ると共にフィルタ交換口４に一部取り残されたバッグ２５をそのままにして装置本体１内からの空気漏れを防止する。【００３１】  次に、一部取り残されているバッグ２５の外側に新しいフィルタを収納した新しい別のグローブ付きバッグ２７を覆う状態でフィルタ交換口４に取り付け、そのグローブ２７に手を差し入れて一部取り残されたバッグ２５をフィルタ交換口４から取り外す。そして、新しいフィルタをフィルタ交換口４から装置本体１内へ挿入しフィルタ受け台１３に塔載する。さらに、フィルタ交換口４から取り外された古いバッグ２５を新しいバッグ２７内の奥方に押し込み、新しいフィルタを収納したバッグ２７の収納部を残して、古いバッグ２５を切り離すように溶着切断し、新しいバッグ２７のみを残す。【００３２】  この後、再びグローブに手を差し入れてレバー１８を上方に押し上げる。これにより、アーム１９下端と一体に取り付けられた偏心カム板２０が回動するため、支持脚９の車軸２１がカム面２２の切欠部２３より外れ、カム面２２を滑って、車軸２１が後方へ移動する。同時に、車輪１０、１１も後方へスライドするため、支持脚９自身も上昇する。この上昇により支持脚９がフィルタ受け台１３を押し上げ、フィルタ受け台１３に搭載されたフィルタ１２がフィルタ受け面５に完全に密着した状態で取り付けられる。【００３３】  以上述べた説明で明らかなように、本発明のフィルタ装着機構は、レバー１８の上げ下げでフィルタ１２をフィルタ受け台１３に乗せてフィルタ受け台１３ごと、均一に締め付ける構造としたので、その作業が簡素化となる上、従来フィルタ装着機構のように支持脚を２つのハンドル操作でそれぞれの支持脚を調整してフィルタ受け台１３を押し上げるような構造としていないため、支持脚の左右のバランスが崩れることがない。さらに、カム面に形成した切欠部に支持脚の一部が固定される構造となっているので、フィルタ受け台１３を押し上げた状態の時、自重降下や機械振動などにより支持が緩むおそれがない。また、さらに別途ロック機構を設ける必要もなく、コスト的にも優れたものである。【００３４】  尚、本実施例では本発明の一実施例を述べたもので、これに限定されることなく、種々変更しても何ら本発明の要旨を変更するものではない。
【産業上の利用可能性】
【００３５】  本発明は、完全気密構造の空気清浄化装置において、構造簡単にして操作容易に且つフィルタ取り付け時のシールの気密性を確実にしたフィルタ装着機構を提供しょうとしたもので実用上甚だ大なるものである。
【符号の説明】
【００３６】１・・・装置本体    ２・・・汚染ガス導入口    ３・・・処理済ガス排出口
４・・・フィルタ交換口      ５・・・フィルタ受け面      ６・・・仕切板
７、１５、１６・・・切欠溝        ８、１４・・・ガイド板
９・・・支持脚      １０、１１・・・車輪        １２・・・フィルタ
１３・・・フィルタ受け台      １７・・・保持板      １８・・・レバー
１９・・・アーム      ２０・・・偏心カム板      ２１・・・車軸
２２・・・カム面      ２３・・・切欠部      ２４・・・蓋
２５、２７・・・グローブ付きバッグ      ２６・・・シール
【図１】
2014018790.tif 000003
【図２】
2014018790.tif 000004
【図３】
2014018790.tif 000005
【図４】
2014018790.tif 000006
【図５】
2014018790.tif 000007
【図６】
2014018790.tif 000008